(57)【要約】【課題】  ＧＵＩを介してユーザ操作を受け付ける情報処理装置、制御プログラムおよび制御方法において、利便性を向上させることができる。【解決手段】  情報処理装置（１０）は、ディスプレイ１４を備える。ディスプレイ１４には、ジョブを選択するための第１ホーム画面（１００）およびジョブの設定条件を設定するための複数の操作画面が表示される。複数の操作画面には、ジョブの設定条件が設定された後に、当該設定条件を変更するための変更アイコン２０４を含む設定変更用の操作画面２００が含まれる。設定変更用の操作画面２００で変更アイコン２０４がタッチされると、ジョブの設定条件が変更される。【選択図】  図９
2019087789.tif 000002
【特許請求の範囲】
【請求項１】
タッチパネルディスプレイを備える情報処理装置であって、
前記タッチパネルディスプレイにおける入力操作に応じて、前記情報処理装置で提供されるサービスについての設定条件を設定する条件設定手段、
前記条件設定手段によって設定された前記設定条件に対応する設定データを記憶する記憶手段、
前記設定データが前記記憶手段に記憶された後に、前記設定条件を変更するための変更アイコンを含む設定変更用の操作画面を前記タッチパネルディスプレイに表示させる表示制御手段、
前記変更アイコンが選択された場合に、前記タッチパネルディスプレイにおける前記入力操作に応じて前記設定条件を変更する条件変更手段、および
前記条件変更手段で変更された変更後の設定条件に応じて前記記憶手段に記憶された前記設定データを更新する条件更新手段を備える、情報処理装置。
【請求項２】
前記設定変更用の操作画面は、前記変更アイコンと、前記設定条件を変更せずに前記サービスを実行するための続行アイコンとの両方を含む、請求項１記載の情報処理装置。
【請求項３】
前記設定変更用の操作画面は、前記設定条件に応じたプレビュー画像を含む確認画面を含み、
前記表示制御手段は、前記変更アイコンを前記確認画面に表示させる、請求項１または２記載の情報処理装置。
【請求項４】
前記設定条件は、複数の設定項目を含み、
前記変更アイコンは、前記複数の設定項目の各々に対応するように複数設けられ、
前記表示制御手段は、前記条件設定手段によって初期設定から変更された前記設定項目に対応する前記変更アイコンを、前記確認画面において強調して表示する、請求項３記載の情報処理装置。
【請求項５】
前記記憶手段は、前記プレビュー画像を記憶し、
前記条件変更手段で前記設定条件が変更された場合に、前記記憶手段に記憶された前記プレビュー画像を読み出して、変更後の前記設定条件に合わせで当該プレビュー画像を加工する画像加工手段をさらに備える、請求項３または４記載の情報処理装置。
【請求項６】
前記情報処理装置で提供される前記サービスの料金を設定する料金設定手段、
前記情報処理装置を利用するユーザの支払可能額を検出する検出手段、および
前記検出手段で検出された前記支払可能額が、前記料金の金額に達しているかどうかを判定する金額判定手段をさらに備え、
前記表示制御手段は、前記金額判定手段によって前記支払可能額が前記料金の金額に達していないと判定された場合に、前記変更アイコンを前記設定変更用の操作画面に表示させる、請求項１ないし５のいずれかに記載の情報処理装置。
【請求項７】
前記金額判定手段によって前記支払可能額が前記料金の金額に達していないと判定された場合に、前記料金の金額が前記支払可能額以下になるように設定された提案用の設定条件を生成する生成手段をさらに備え、
前記変更アイコンは、前記生成手段によって生成された前記提案用の設定条件に対応する提案アイコンを含む、請求項６記載の情報処理装置。
【請求項８】
前記条件設定手段によって前記設定条件が設定された後にされたユーザ操作が、当該設定条件と対応している操作かどうかを判定する操作判定手段をさらに備え、
前記表示制御手段は、前記操作判定手段によって前記ユーザ操作が前記設定条件と対応していない操作であると判定された場合に、前記変更アイコンを前記設定変更用の操作画面に表示させる、請求項１ないし７のいずれかに記載の情報処理装置。
【請求項９】
タッチパネルディスプレイおよび記憶部を備える情報処理装置の制御プログラムであって、
前記情報処理装置のプロセッサを、
前記タッチパネルディスプレイにおける入力操作に応じて、前記情報処理装置についての所定の設定条件を設定する条件設定手段、
前記条件設定手段によって設定された前記設定条件に対応する設定データを前記記憶部に記憶させる記憶手段、
前記設定データが前記記憶部に記憶された後に、前記設定条件を変更するための変更アイコンを含む設定変更用の操作画面を前記タッチパネルディスプレイに表示させる表示制御手段、
前記変更アイコンが選択された場合に、前記タッチパネルディスプレイにおける前記入力操作に応じて前記設定条件を変更する条件変更手段、および
前記条件変更手段で変更された変更後の設定条件に応じて前記記憶部に記憶された前記設定データを更新する条件更新手段として機能させる、制御プログラム。
【請求項１０】
タッチパネルディスプレイおよび記憶部を備える情報処理装置のプロセッサが、
前記タッチパネルディスプレイにおける入力操作に応じて、前記情報処理装置についての所定の設定条件を設定し、
設定された前記設定条件に対応する設定データを前記記憶部に記憶させ、
前記設定データが前記記憶部に記憶された後に、前記設定条件を変更するための変更アイコンを含む設定変更用の操作画面を前記タッチパネルディスプレイに表示させ、
前記変更アイコンが選択された場合に、ユーザ操作に応じて前記設定条件を変更し、そして
変更された変更後の設定条件に応じて前記記憶部に記憶された前記設定データを更新する、制御方法。
【発明の詳細な説明】
【技術分野】
【０００１】
この発明は、情報処理装置、制御プログラムおよび制御方法に関し、特にたとえば、ＧＵＩ（グラフィカルユーザインタフェース）を介してユーザ操作を受け付ける、情報処理装置、制御プログラムおよび制御方法に関する。
【背景技術】
【０００２】
この種の背景技術の一例が特許文献１に開示される。背景技術の画像形成装置は、ハードウェアキーおよびタッチスクリーンを含む操作部と、ディスプレイとを備え、ディスプレイに表示されるＧＵＩを介してユーザ操作を受け付ける。このような画像形成装置において或るジョブ（コピージョブ等）が実行される場合、ユーザは、操作部を操作して、そのジョブの設定を行い、その後、操作部に設けられたスタートキーを押下することにより当該或るジョブを開始する。
【先行技術文献】
【特許文献】
【０００３】
【特許文献１】特開２０１２−１２９８３６号公報
【発明の概要】
【発明が解決しようとする課題】
【０００４】
しかしながら、背景技術の画像形成装置では、設定されたジョブの設定が、ユーザが望むような設定にならないことがある。このような場合、ユーザは、ジョブの設定を最初からやり直す必要があり、面倒である。このため、利便性について改善の余地がある。
【０００５】
それゆえに、この発明の主たる目的は、新規な、情報処理装置、制御プログラムおよび制御方法を提供することである。
【０００６】
この発明の他の目的は、利便性を向上させることができる、情報処理装置、制御プログラムおよび制御方法を提供することである。
【課題を解決するための手段】
【０００７】
第１の発明は、タッチパネルディスプレイを備える情報処理装置であって、条件設定手段、記憶手段、表示制御手段、条件変更手段および条件更新手段を備える。条件設定手段は、タッチパネルディスプレイにおける入力操作に応じて、情報処理装置で提供されるサービスについての設定条件を設定する。記憶手段は、条件設定手段によって設定された設定条件に対応する設定データを記憶する。表示制御手段は、設定データが記憶部に記憶された後に、設定条件を変更するための変更アイコンを含む設定変更用の操作画面をタッチパネルディスプレイに表示させる。条件変更手段は、変更アイコンが選択された場合に、タッチパネルディスプレイにおける入力操作に応じて設定条件を変更する。条件更新手段は、条件変更手段で変更された変更後の設定条件に応じて記憶部に記憶された設定データを更新する。
【０００８】
第２の発明は、第１の発明に従属する情報処理装置であって、設定変更用の操作画面は、変更アイコンと、設定条件を変更せずにサービスを実行するための続行アイコンとの両方を含む。
【０００９】
第３の発明は、第１または第２の発明に従属する情報処理装置であって、設定変更用の操作画面は、設定条件に応じたプレビュー画像を含む確認画面を含み、表示制御手段は、変更アイコンを確認画面に表示させる。
【００１０】
第４の発明は、第３の発明に従属する情報処理装置であって、設定条件は、複数の設定項目を含み、変更アイコンは、複数の設定項目の各々に対応するように複数設けられ、表示制御手段は、条件設定手段によって初期設定から変更された設定項目に対応する変更アイコンを、確認画面において強調して表示する。
【００１１】
第５の発明は、第３または第４の発明に従属する情報処理装置であって、記憶手段は、プレビュー画像を記憶し、条件変更手段で設定条件が変更された場合に、記憶手段に記憶されたプレビュー画像を読み出して、変更後の設定条件に合わせで当該プレビュー画像を加工する画像加工手段をさらに備える。
【００１２】
第６の発明は、第１ないし第５のいずれかの発明に従属する情報処理装置であって、情報処理装置で提供されるサービスの料金を設定する料金設定手段、情報処理装置を利用するユーザの支払可能額を検出する検出手段、および検出手段で検出された支払可能額が、料金の金額に達しているかどうかを判定する金額判定手段をさらに備え、表示制御手段は、金額判定手段によって支払可能額が料金の金額に達していないと判定された場合に、変更アイコンを設定変更用の操作画面に表示させる。
【００１３】
第７の発明は、第６の発明に従属する情報処理装置であって、金額判定手段によって支払可能額が料金の金額に達していないと判定された場合に、料金の金額が支払可能額以下になるように設定された提案用の設定条件を生成する生成手段をさらに備え、変更アイコンは、生成手段によって生成された提案用の設定条件に対応する提案アイコンを含む。
【００１４】
第８の発明は、第１ないし第７のいずれかの発明に従属する情報処理装置であって、条件設定手段によって設定条件が設定された後にされたユーザ操作が、当該設定条件と対応している操作かどうかを判定する操作判定手段をさらに備え、表示制御手段は、操作判定手段によってユーザ操作が設定条件と対応していない操作であると判定された場合に、変更アイコンを設定変更用の操作画面に表示させる。
【００１５】
第９の発明は、タッチパネルディスプレイおよび記憶部を備える情報処理装置の制御プログラムであって、情報処理装置のプロセッサを、タッチパネルディスプレイにおける入力操作に応じて、情報処理装置についての所定の設定条件を設定する条件設定手段、条件設定手段によって設定された設定条件に対応する設定データを記憶部に記憶させる記憶手段、設定データが記憶部に記憶された後に、設定条件を変更するための変更アイコンを含む設定変更用の操作画面をタッチパネルディスプレイに表示させる表示制御手段、変更アイコンが選択された場合に、タッチパネルディスプレイにおける入力操作に応じて設定条件を変更する条件変更手段、および条件変更手段で変更された変更後の設定条件に応じて記憶部に記憶された設定データを更新する条件更新手段として機能させる。
【００１６】
第１０の発明は、タッチパネルディスプレイおよび記憶部を備える情報処理装置のプロセッサが、タッチパネルディスプレイにおける入力操作に応じて、情報処理装置についての所定の設定条件を設定し、設定された設定条件に対応する設定データを記憶部に記憶させ、設定データが記憶部に記憶された後に、設定条件を変更するための変更アイコンを含む設定変更用の操作画面をタッチパネルディスプレイに表示させ、変更アイコンが選択された場合に、ユーザ操作に応じて設定条件を変更し、そして変更された変更後の設定条件に応じて記憶部に記憶された設定データを更新する制御方法である。
【発明の効果】
【００１７】
この発明によれば、ＧＵＩを介してユーザ操作を受け付ける情報処理装置、制御プログラムおよび制御方法において、利便性を向上させることができる。
【００１８】
この発明の上述の目的，その他の目的，特徴および利点は、図面を参照して行う以下の実施例の詳細な説明から一層明らかとなろう。
【図面の簡単な説明】
【００１９】
【図１】図１はこの発明の一実施例である情報処理システムの外観構成を示す図解図である。
【図２】図２は図１に示す情報処理装置の電気的な構成を示すブロック図である。
【図３】図３は図１に示す画像形成装置の電気的な構成を示すブロック図である。
【図４】図４は第１ホーム画面の一例を示す図解図である。
【図５】図５は第１コピー設定画面の一例を示す図解図である。
【図６】図６は第２コピー設定画面の一例を示す図解図である。
【図７】図７は第３コピー設定画面の一例を示す図解図である。
【図８】図８は第１案内画面の一例を示す図解図である。
【図９】図９は第２案内画面の一例を示す図解図である。
【図１０】図１０は図２に示す情報処理装置のＲＡＭのメモリマップの一例を示す図解図である。
【図１１】図１１は図３に示す画像形成装置のＲＡＭのメモリマップの一例を示す図解図である。
【図１２】図１２は図２に示すＣＰＵの情報処理の一例を示すフロー図である。
【図１３】図１３は第２実施例のコピー確認画面の一例を示す図解図である。
【図１４】図１４は第１スキャン設定画面の一例を示す図解図である。
【図１５】図１５は第２スキャン設定画面の一例を示す図解図である。
【図１６】図１６は第３スキャン設定画面の一例を示す図解図である。
【図１７】図１７は第４スキャン設定画面の一例を示す図解図である。
【図１８】図１８はスキャン確認画面の一例を示す図解図である。
【図１９】図１９は第２実施例の情報処理の一例を示すフロー図である。
【図２０】図２０は第３実施例における第１報知画面の一例を示す図解図である。
【図２１】図２１は第３実施例における第２報知画面の一例を示す図解図である。
【図２２】図２２は第３実施例の情報処理の一例の一部を示すフロー図である。
【図２３】図２３は第４実施例における第１選択画面の一例を示す図解図である。
【図２４】図２４は第４実施例における第３案内画面の一例を示す図解図である。
【図２５】図２５は第４実施例における第２選択画面の一例を示す図解図である。
【図２６】図２６は第４実施例の情報処理の一例を示すフロー図である。
【発明を実施するための形態】
【００２０】
［第１実施例］
図１はこの発明の情報処理システム１００の構成の一例を示す図解図である。この図１を参照して、この発明の第１実施例である情報処理システム１００は、情報処理装置１０および画像形成装置７０を含む。
【００２１】
情報処理装置１０は、スーパーマーケット、レストランまたはコンビニエンスストアなどの店舗、並びに駅、バスターミナル、空港、役所または図書館などの公共施設に配置されるマルチメディアキオスク（ＭＭＫ）端末である。この情報処理装置１０は、配置される場所に応じて各種情報または所定のサービスを利用者（ユーザ）に提供する。また、詳細は後述するが、情報処理装置１０は、画像形成装置７０と協働して、コピー、プリント、スキャンおよびファクスなどの所定のサービスをユーザに提供することもできる。
【００２２】
なお、この明細書では、ユーザの立ち位置に対向する面、つまり後述するディスプレイ１４が設けられる側の面を前面（正面）として情報処理装置１０およびその構成部材の前後方向（奥行方向）を規定し、情報処理装置１０およびその構成部材の左右方向（横方向）は、ユーザから情報処理装置１０を見た状態を基準として規定する。これらのことは、画像形成装置７０についても同様である。
【００２３】
情報処理装置１０は、タッチパネル１２付きのディスプレイ１４、記録媒体接続部１６、紙片用プリンタ１８、符号読取部２０、近距離通信部２２、貨幣処理部２４、および写真用プリンタ２６を含む装置本体２８を備える。
【００２４】
タッチパネル１２付きのディスプレイ１４は、情報処理装置１０（装置本体２８）の上端部に配置される。タッチパネル１２は、汎用のタッチパネルであり、静電容量方式、電磁誘導方式、抵抗膜方式、赤外線方式など、任意の方式のものを用いることができる。この第１実施例では、タッチパネル１２としては、静電容量方式のタッチパネルが用いられ、ディスプレイ１４の表示面上にタッチパネル１２が設けられる。ただし、タッチパネル１２とディスプレイ１４とが一体的に形成されたタッチパネルディスプレイが用いられてもよい。また、ディスプレイ１４としては、たとえばＬＣＤまたはＥＬ（Electro-Luminescence）ディスプレイなどを用いることができる。
【００２５】
記録媒体接続部１６は、各種の記録媒体を装着するための装着部（たとえばドライブおよびメモリスロット）を含む。各種の記録媒体は、光ディスク（たとえばＣＤ−Ｒ、ＤＶＤ−ＲおよびＢＤ−Ｒなど）およびフラッシュメモリ（たとえばＵＳＢメモリ、ＳＤカードおよびメモリースティックなど）などである。ただし、光ディスクは、ドライブに装着される。また、フラッシュメモリは、メモリスロットに装着される。
【００２６】
紙片用プリンタ１８は、たとえばサーマルプリンタ（感熱式プリンタ）またはドットインパクトプリンタであり、レシート、ジャーナルまたはクーポン券などの紙片を発行する。具体的には、紙片用プリンタ１８は、ロール紙上に各種の文字列、画像、コードパターン（バーコードなど）などを印刷し、印刷済の紙片を排紙部１８ａから排出する。
【００２７】
符号読取部２０は、たとえばレーザスキャナまたはカメラなどを含み、商品、カード、レシートなどに付された符号またはユーザ端末（携帯端末）の画面に表示された符号などを読み取ることができる。符号読取部２０で読み取ることができる符号には、バーコード（１次元バーコード）または２次元コード（たとえばＱＲコード（登録商標）、マイクロＱＲコード、ＤａｔａＭＡＴＲＩＸ、ＭａｘｉＣＯＤＥおよびＶｅｒｉＣＯＤＥなど）などがある。
【００２８】
近距離通信部２２は、たとえば、ＩＳＯ／ＩＥＣ１８０９２等の通信規格（いわゆるＮＦＣ（Near Field Communication））等に従って、電子マネー媒体、ＩＣカード（身分証、会員証または社員証など）またはユーザ端末等の通信対象との間で無線による非接触のデータ通信を行うものである。近距離通信部２２の通信可能距離は、数ｃｍ〜数ｍ程度である。近距離通信部２２は、通信対象に対して、通信対象に記憶されたデータの読み出しを指示する信号（読出し命令）を送信する。通信対象は、読出し命令に対する応答として所望のデータを近距離通信部２２に送信する。また、近距離通信部２２は、通信対象に書き込むデータ（書き込みデータ）とともに書き込みを指示する信号（書き込み命令）を送信する。通信対象は、書き込み命令に従って、受信した書き込みデータを通信対象の記憶部に書き込む（記憶する）。
【００２９】
貨幣処理部２４は、貨幣投入部２４ａおよび硬貨返却口２４ｂを含む。貨幣投入部２４ａは、硬貨投入口、紙幣投入口および釣銭返却レバー等を含み、近距離通信部２２の下方に配置される。硬貨投入口から投入された硬貨および紙幣投入口から投入された紙幣は、それぞれ種類毎に分類されて所定の貨幣格納部（不図示）に収容される。貨幣格納部は、硬貨用の格納部および紙幣用の格納部を含む。硬貨または紙幣が投入されると、硬貨用の格納部に収容された硬貨の種類および枚数と、紙幣用の格納部に収容された紙幣の種類および枚数とに応じて、投入金額が算出される。情報処理装置１０において所定のサービス等が実行されると、そのサービスの内容に応じた費用が投入金額から減算され、投入金額の残高が算出される。また、釣銭返却レバーが操作されると、投入金額の残高に応じて、硬貨または紙幣が返却される。ただし、硬貨は、貨幣投入部２４ａの下方に設けられる硬貨返却口２４ｂから返却され、紙幣は、紙幣投入口から返却される。
【００３０】
写真用プリンタ２６は、たとえば昇華型プリンタまたはインクジェットプリンタであり、写真用の用紙（写真用紙）上に画像を印刷する。写真用プリンタ２６で印刷された写真は、排出部２６ａに排出される。ただし、用紙上に画像を形成するための画像データとしては、記録媒体接続部１６に接続された記録媒体に記憶された画像データ、または外部コンピュータから送信された画像データ等が利用される。また、写真用プリンタ２６で印刷される写真のサイズは、Ｌ判サイズ、はがきサイズまたは２Ｌ判サイズなどである。
【００３１】
図２は図１に示す情報処理装置１０の電気的な構成を示すブロック図である。図２を参照して、情報処理装置１０はＣＰＵ３２を含む。ＣＰＵ３２には、バス６０を介してＲＡＭ３４、ＲＯＭ３６、タッチパネル制御回路３８、表示制御回路４０、記録媒体接続部１６、紙片用プリンタ１８、符号読取部２０、近距離通信部２２、貨幣処理部２４、写真用プリンタ２６および通信回路４４が接続される。また、タッチパネル制御回路３８にはタッチパネル１２が接続され、表示制御回路４０にはディスプレイ１４が接続される。
【００３２】
ＣＰＵ３２は、情報処理装置１０の全体的な制御を司る。ＲＡＭ３４は、ＣＰＵ３２のワーク領域およびバッファ領域として用いられる。ＲＯＭ３６は、情報処理装置１０の起動プログラムや各種情報についてのデフォルト値を記憶する。
【００３３】
タッチパネル制御回路３８は、タッチパネル１２に必要な電圧などを付与するとともに、タッチパネル１２のタッチ有効範囲内でのタッチ操作（タッチ入力）を検出して、そのタッチ入力の位置を示すタッチ座標データをＣＰＵ３２に出力する。
【００３４】
表示制御回路４０は、ＧＰＵおよびＶＲＡＭなどを含んでおり、ＣＰＵ３２の指示の下、ＧＰＵは、ＲＡＭ３４に記憶された画像生成データを用いてディスプレイ１４に種々の画面を表示するための表示画像データをＶＲＡＭに生成し、生成した表示画像データをディスプレイ１４に出力する。
【００３５】
通信回路４４は、インターネットなどのネットワークに接続するための通信回路である。この通信回路４４は、有線通信回路または無線通信回路であり、ＣＰＵ３２からの指示に従って、ネットワークを介して、サーバ等の外部コンピュータ（外部端末）と通信する。ただし、通信回路４４は、ネットワークを介さずに、有線または無線（たとえば赤外線方式、ＷｉＦｉ（登録商標）方式またはブルートゥース（Bluetooth；登録商標）方式）で、画像形成装置７０およびユーザ端末などの他の情報機器と直接通信することも可能である。
【００３６】
なお、図２に示す情報処理装置１０の電気的な構成は単なる一例であり、これに限定される必要はない。
【００３７】
図１に戻って、画像形成装置７０は、複写機能、プリンタ機能、スキャナ機能およびファクシミリ機能などを有する複合機（ＭＦＰ：Multifunction Peripheral）である。
【００３８】
画像形成装置７０は、画像読取部７２、画像形成部７４、給紙装置７６および排紙トレイ７８を含む装置本体８０を備える。ただし、画像形成装置７０は、情報処理装置１０の近傍に設置される。たとえば、画像形成装置７０は、情報処理装置１０の右側に隣接して設けられる。
【００３９】
画像読取部７２は、透明材によって形成される原稿載置台を備え、装置本体８０に内蔵される。原稿載置台の上方には、ヒンジ等を介して原稿押えカバー７２ａが開閉自在に取り付けられる。
【００４０】
また、画像読取部７２は、光源、複数のミラー、結像レンズおよびラインセンサ等を備える。この画像読取部７２は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００４１】
画像形成部７４は、装置本体８０に内蔵され、画像読取部７２の下方に設けられる。この画像形成部７４は、感光体ドラム、帯電装置、露光装置、現像装置、転写装置および定着装置などを備える。画像形成部７４は、給紙装置７６等から搬送される記録媒体（用紙）上に電子写真方式によって画像を形成し、画像形成済みの用紙を画像読取部７２および画像形成部７４の間に設けられる排紙トレイ７８に排出する。ただし、用紙上に画像を形成するための画像データとしては、画像読取部７２で読み取った読取画像データ、情報処理装置１０から送信された画像データ、または外部コンピュータから送信された画像データ等が利用される。また、記録媒体としては、紙からなる用紙に限定されず、ＯＨＰフィルムなどの紙以外のシートも用いられる。
【００４２】
図３は図１に示す画像形成装置７０の電気的な構成を示すブロック図である。図３を参照して、画像形成装置７０はＣＰＵ８２を含む。ＣＰＵ８２には、バス９０を介してＲＡＭ８４、ＨＤＤ８６、画像読取部７２、画像形成部７４および通信回路９２が接続される。
【００４３】
ＣＰＵ８２は、画像形成装置７０の全体的な制御を司る。ＲＡＭ８４は、ＣＰＵ８２のワーク領域およびバッファ領域として用いられる。
【００４４】
ＨＤＤ８６は、画像形成装置７０の主記憶装置であって、ＣＰＵ８２が画像形成装置７０の各部位の動作を制御するための制御プログラムおよび各種の画面についての表示画像データ等を適宜記憶する。ただし、ＨＤＤ８６に代えて、またはＨＤＤ８６とともに、ＳＳＤ、フラッシュメモリ、ＥＥＰＲＯＭなどの他の不揮発性メモリが用いられてもよい。
【００４５】
通信回路９２は、インターネットなどのネットワークに接続するための通信回路である。この通信回路９２は、有線通信回路または無線通信回路であり、ＣＰＵ８２からの指示に従って、ネットワークを介して、サーバ等の外部コンピュータと通信する。ただし、通信回路９２は、ネットワークを介さずに、有線または無線で、情報処理装置１０と直接通信することも可能である。
【００４６】
なお、図３に示す画像形成装置７０の電気的な構成は単なる一例であり、これに限定される必要はない。
【００４７】
このような構成の情報処理システム１００では、情報処理装置１０のディスプレイ１４に表示されるＧＵＩを介してユーザ操作を受け付ける。たとえば、従来の情報処理装置では、或るジョブ（コピージョブ等）が実行される場合、ユーザは、操作部を操作して、その或るジョブの設定条件を設定する。その後、操作部に設けられたスタートキー等が押下されると、ユーザが設定したジョブの設定条件に従って、ジョブが開始される。以下、ジョブの設定条件を設定するためのユーザ操作のことを、設定操作と呼ぶことがある。
【００４８】
しかしながら、従来の情報処理装置では、装置の使用に慣れていないユーザが設定操作を行った場合には、設定されたジョブの設定条件が、そのユーザが望むような設定条件にならないことがある。このような場合、従来の情報処理装置では、設定操作を最初からやり直す必要があり、面倒である。
【００４９】
また、ユーザが望むような設定条件になっていない場合には、ジョブの設定条件と異なるユーザ操作がされることがある。このような場合、ユーザ操作がエラーとなってしまい、ジョブを開始できないことがある。以上のように、背景技術の画像形成装置は、利便性について改善の余地がある。
【００５０】
そこで、この第１実施例では、ジョブの設定条件が設定された後に、当該設定条件を変更するための変更アイコンを含む設定変更用の操作画面を情報処理装置１０のディスプレイ１４に表示させるようにした。
【００５１】
以下、図４ないし図９を参照して情報処理システム１００の動作例を説明する。図４はホーム画面１１０の一例を示す図解図である。図５は第１コピー設定画面１２０の一例を示す図解図である。図６は第２コピー設定画面１４０の一例を示す図解図である。図７は第３コピー設定画面１６０の一例を示す図解図である。図８は第１案内画面１８０の一例を示す図解図である。図９は第２案内画面２００の一例を示す図解図である。
【００５２】
情報処理装置１０および画像形成装置７０の主電源がオンされて、各種のジョブ（サービス）を実行可能な待機状態にある場合、情報処理装置１０のディスプレイ１４には、図４に示すようなホーム画面１１０が表示される。
【００５３】
ホーム画面１１０は、各種のジョブを選択するための操作画面である。ただし、この第１実施例では、ジョブは、コピー、スキャン、印刷（プリント）およびファクスの送信などを意味する。このホーム画面１１０には、各ジョブを選択するための複数のアイコン１１２が設けられる（表示される）。
【００５４】
複数のアイコン１１２の各々は、略矩形状の枠で囲まれた画像であり、ソフトウェアキーとして機能する。複数のアイコン１１２の各々には、“コピー”、“スキャン”、“ファクス”、“記録メディアからプリント”、“ネットワークプリント”、“写真サービス”，“行政サービス”および“スマホからプリント”等のジョブが割り当てられている。
【００５５】
ホーム画面１１０に含まれるいずれかのアイコン１１２がタッチ（選択）されると、ディスプレイ１４には、アイコン１１２に割り当てられたジョブの設定条件に含まれる複数の設定項目についての設定を行うための複数の操作画面（設定画面）が順次表示される。たとえば、コピージョブが割り当てられたアイコン１１２がタッチされると、ジョブの設定条件を設定するための最初の操作画面として図５に示すような第１コピー設定画面１２０がディスプレイ１４に表示される。
【００５６】
第１コピー設定画面１２０は、設定領域１２２およびもどるアイコン１２４を含む。設定領域１２２は、カラーモード等のコピージョブの種類を設定するための領域である。この設定領域１２２には、アイコン１２２ａ，１２２ｂ，１２２ｃ，１２２ｄが設けられる。アイコン１２２ａには、カラーコピー（フルカラー）の設定が割り当てられている。アイコン１２２ｂには、白黒コピー（モノクロ）の設定が割り当てられている。アイコン１２２ｃには、単色カラーコピーの設定が割り当てられている。アイコン１２２ｄには、上述した種類以外の特殊なコピーの種類についての設定が割り当てられている。特殊なコピーとしては、写真のコピー、免許証のコピー、ポスターの作成（コピー）およびはがきのコピーなどが含まれる。また、アイコン１２２ａ〜１２２ｃのそれぞれには、対応するコピージョブの種類における１枚当たりの料金の金額が表示される。ただし、アイコン１２２ｄについては、コピーの種類によって料金の金額が異なるので、第１コピー設定画面１２０では１枚当たりの料金の金額が表示されない。
【００５７】
もどるアイコン１２４は、第１コピー設定画面１２０を閉じて、１つ前の操作画面に戻る機能が割り当てられる。たとえば、もどるアイコン１２４がタッチされると、第１コピー設定画面１２０が閉じられて（非表示にされて）、ホーム画面１１０がディスプレイ１４に表示される。また、もどるアイコン１２４がタッチされると、ジョブの設定条件が初期化される。後述するもどるアイコン１４８、１６８、２４４、２６４、２８８、３０８も同様である。
【００５８】
第１コピー設定画面１２０では、アイコン１２２ａ〜１２２ｄのいずれかがタッチされることによって、コピージョブの種類が設定される。コピージョブの種類が設定されると、ディスプレイ１４の表示が次の操作画面に切り替わる。たとえば、第１コピー設定画面１２０でコピージョブの種類が設定されると、ディスプレイ１４には、図６に示すような第２コピー設定画面１４０が表示される。
【００５９】
第２コピー設定画面１４０は、印刷する用紙（印刷用紙）のサイズの設定および片面コピー／両面コピーの設定を行うための画面であり、第１設定領域１４２、第２設定領域１４４、次へアイコン１４６およびもどるアイコン１４８を含む。
【００６０】
第１設定領域１４２は、印刷する用紙のサイズの設定を行うための領域である。この第１設定領域１４２には、アイコン１４２ａ〜１４２ｄが設けられる。アイコン１４２ａには、Ｂ５サイズの用紙を使用する設定が割り当てられている。アイコン１４２ｂには、Ａ４サイズの用紙を使用する設定が割り当てられている。アイコン１４２ｃには、Ｂ４サイズの用紙を使用する設定が割り当てられている。アイコン１４２ｄには、Ａ３サイズの用紙を使用する設定が割り当てられている。また、アイコン１４２ａ〜１４２ｄのそれぞれには、対応する用紙を使用した場合の１枚当たりの料金の金額が表示される。ただし、アイコン１４２ａ〜１４２ｄに表示される料金の金額は、コピージョブの種類によって異なる。なお、図６に示すアイコン１４２ａ〜１４２ｄに表示される料金の金額は、コピージョブの種類が“カラーコピー”である場合の金額である。
【００６１】
第２設定領域１４４は、片面コピー／両面コピーの設定を行うための領域である。この第２設定領域１４４には、アイコン１４４ａおよびアイコン１４４ｂが設けられる。アイコン１４４ａには、片面コピーの設定が割り当てられている。アイコン１４４ｂには、両面コピーの設定が割り当てられている。また、アイコン１４４ｂには、両面コピーが選択された場合、片面コピーの２枚分の料金となる旨のメッセージが表示される。
【００６２】
第２コピー設定画面１４０では、アイコン１４２ａ〜１４２ｄのいずれかがタッチされることによって、印刷する用紙のサイズが仮決定され、アイコン１４４ａおよびアイコン１４４ｂのいずれかがタッチされることによって、片面コピーまたは両面コピーのいずれを行うかが仮決定される。なお、アイコン１４２ａ〜１４２ｄ、アイコン１４４ａおよびアイコン１４４ｂは、タッチされると、表示態様が変わる。図示は省略するが、タッチされたアイコンに模様が付されたり、適当な色彩が付されたりする。このようにすれば、ユーザは、自身が選択したアイコンを認識することができ、また、自身が仮決定した設定条件を認識することができる。
【００６３】
次へアイコン１４６は、仮決定された設定条件を確定（決定）し、次の操作画面に進む機能が割り当てられる。後述する次へアイコン１６６、２８６、３０４も同様である。たとえば、次へアイコン１４６がタッチされると、印刷する用紙のサイズの設定および片面コピー／両面コピーの設定が決定され、第２コピー設定画面１４０が閉じられて、図７に示すような第３コピー設定画面１６０がディスプレイ１４に表示される。
【００６４】
第３コピー設定画面１６０は、コピー倍率および原稿の大きさを設定するための画面であり、第１設定領域１６２、第２設定領域１６４、次へアイコン１６６およびもどるアイコン１６８を含む。
【００６５】
第１設定領域１６２は、コピー倍率（印刷画像の大きさの倍率）を設定するための領域である。この第１設定領域１６２には、テキストボックス１６２ａが設けられる。テキストボックス１６２ａには、コピー倍率を示す数値が表示される。テキストボックス１６２ａに表示される数値は、テキストボックス１６２ａの右側に配置されたアイコン１６２ｂまたはアイコン１６２ｃがタッチされることによって変化する。ただし、アイコン１６２ｂは、テキストボックス１６２ａに表示される数値を大きくする（増加させる）機能が割り当てられており、アイコン１６２ｃは、テキストボックス１６２ａに表示される数値を小さくする（減少させる）機能が割り当てられている。
【００６６】
また、第１設定領域１６２には、アイコン１６２ｄ〜１６２ｆが設けられる。アイコン１６２ｄには、コピー倍率を印刷する用紙のサイズに合わせて自動的に設定する機能が割り当てられている。アイコン１６２ｅには、コピー倍率を予め設定された固定倍率に設定する機能が割り当てられている。アイコン１６２ｆには、コピー倍率を少し小さめの倍率（たとえば９５％）に設定する機能が割り当てられている。
【００６７】
この第１設定領域１６２では、テキストボックス１６２ａに数値が入力されたり、アイコン１６２ｄ〜１６２ｆのいずれかがタッチされたりして、コピー倍率が仮決定される。
【００６８】
第２設定領域１６４は、原稿の大きさを設定するための領域である。第２設定領域１６４には、アイコン１６４ａが設けられる。アイコン１６４ａには、原稿の大きさについての設定を行うための入力画面（不図示）を表示する機能が割り当てられている。アイコン１６４ａがタッチされると、原稿サイズを入力するための入力画面が表示され、ユーザ操作に応じて原稿サイズが設定（仮決定）される。
【００６９】
第３コピー設定画面１６０では、次へアイコン１６６がタッチされると、仮決定されたコピー倍率の設定および原稿の大きさの設定が決定される。また、次へアイコン１６６がタッチされると、第３コピー設定画面１６０が閉じられて、原稿の読み込みを行うための案内画面がディスプレイ１４に表示される。たとえば、図８に示すような第１案内画面１８０がディスプレイ１４に表示される。この第１実施例では、第３コピー設定画面１６０がジョブの設定条件を設定するための最後の操作画面である。したがって、第３コピー設定画面１６０でアイコン１６６がタッチされると、コピージョブを実行するための必須の設定条件が設定されたことになる。
【００７０】
第１案内画面１８０は、原稿の置き方を案内するとともに、１枚目の原稿の読み込みを行うための画面である。この第１案内画面１８０には、ユーザに原稿の置き方を案内する旨のメッセージ、矩形状の動画像表示領域１８２および指示アイコン１８４が設けられる。
【００７１】
たとえば、第１案内画面１８０には、「原稿は横向きに置いてください。」というような、メッセージが表示される。
【００７２】
動画像表示領域１８２には、原稿のセット方法を示す動画像が表示される。具体的には、動画像表示領域１８２には、原稿の向きおよび位置（左奥の角）を示す動画像が表示される。ただし、動画像は、指示アイコン１８４がタッチされるまで繰り返し再生（表示）される。
【００７３】
メッセージおよび動画像表示領域１８２に表示される動画像によって、原稿の置き方がユーザに提示される。このため、ユーザは、第１案内画面１８０に表示される原稿の置き方を参照しながら、原稿を原稿台ガラス上に適切に載置することができる。
【００７４】
指示アイコン１８４には、画像形成装置７０の画像読取部７２に１枚目の原稿の読み込み（スキャン）を実行させる機能が割り当てられている。指示アイコン１８４がタッチされると、画像読取部７２で１枚目の原稿がスキャンされる。
【００７５】
そして、原稿が１枚である場合には、画像読取部７２で１枚目の原稿がスキャンされると、プレビュー画像を含む確認画面および決済を行うための決済画面等がディスプレイ１４に順次表示される。決済が完了すると、各操作画面において設定されたジョブの設定条件に従って、コピージョブが実行される。
【００７６】
ただし、ジョブの設定条件として、片面コピー／両面コピーの設定として“両面コピー”が設定されている場合またはページ集約が設定されている場合等、原稿が複数枚である場合には、第１案内画面１８０で指示アイコン１８４がタッチされると、１枚目の原稿がスキャンされ、図９に示すような第２案内画面２００がディスプレイ１４に表示される。
【００７７】
第２案内画面２００は、原稿の置き方を案内するとともに、２枚目の原稿の読み込みを行うための画面であり、ユーザに原稿の置き方を案内する旨のメッセージ、動画像表示領域２０２、変更アイコン２０４および指示アイコン２０６が表示される。なお、動画像表示領域２０２の内容は、第１案内画面１８０の動画像表示領域１８２と同様であるので説明を省略する。
【００７８】
変更アイコン２０４には、ジョブの設定条件を変更する機能が割り当てられている。具体的には、変更アイコン２０４には、片面コピー／両面コピーの設定条件として“片面コピー”を設定する機能が割り当てられている。このため、変更アイコン２０４がタッチされると、片面コピー／両面コピーの設定条件が“両面コピー”から“片面コピー”に変更され、ジョブの設定条件が更新（上書き）される。したがって、変更アイコン２０４がタッチされると、更新されたジョブの設定条件に従って、２枚目の原稿をスキャンせずに、プレビュー画像を含む確認画面等の操作画面に進む。このように、第２案内画面２００は、ジョブの設定条件を変更する変更アイコン２０４が設けられているので、設定変更用の操作画面でもある。
【００７９】
指示アイコン（続行アイコンに相当）２０６には、画像形成装置７０の画像読取部７２に２枚目の原稿の読み込み（スキャン）を実行させる機能が割り当てられている。指示アイコン２０６がタッチされると、画像読取部７２で２枚目の原稿がスキャンされる。そして、原稿が２枚である場合には、画像読取部７２で２枚目の原稿がスキャンされると、確認画面および決済画面等がディスプレイ１４に順次表示される。一方、原稿が３枚以上である場合には、３枚目以降の原稿の読み込みを行うための案内画面がディスプレイ１４に順次表示される。
【００８０】
情報処理システム１００の上記のような動作は、情報処理装置１０のＣＰＵ３２がＲＡＭ３４に記憶された情報処理装置１０用の情報処理プログラムを実行し、画像形成装置７０のＣＰＵ８２がＲＡＭ８４に記憶された画像形成装置７０用の情報処理プログラムを実行することによって実現される。具体的な処理については、後でフロー図を用いて説明する。
【００８１】
図１０は図２に示す情報処理装置１０のＲＡＭ３４のメモリマップ５００の一例を示す図解図である。図１０に示すように、ＲＡＭ３４は、プログラム記憶領域５０２およびデータ記憶領域５０４を含む。ＲＡＭ３４のプログラム記憶領域５０２には、上述したように、情報処理装置１０用の情報処理プログラムが記憶される。この情報処理装置１０用の情報処理プログラムは、通信プログラム５０２ａ、操作検出プログラム５０２ｂ、表示プログラム５０２ｃ、記録媒体接続プログラム５０２ｄ、紙片印刷プログラム５０２ｅ、符号読取プログラム５０２ｆ、写真印刷プログラム５０２ｇ、近距離通信プログラム５０２ｈ、貨幣処理プログラム５０２ｉおよび設定プログラム５０２ｊを含む。
【００８２】
通信プログラム５０２ａは、画像形成装置７０、サーバ等の他のコンピュータないし他の機器とネットワークを介して、データを通信（送受信）するためのプログラムである。
【００８３】
操作検出プログラム５０２ｂは、タッチ入力を検出するためのプログラムであり、ＣＰＵ３２は、この操作検出プログラム５０２ｂに従って、タッチパネル１２から出力されたタッチ座標データを取得し、取得したタッチ座標データを時系列に従ってＲＡＭ３４に記憶する。また、操作検出プログラム５０２ｂは、タッチパネル１２から出力されたタッチ座標データを取得して、ディスプレイ１４に表示される各種の操作画面に含まれるソフトウェアキー（アイコン）が操作されたことを検出するためのプログラムである。
【００８４】
表示プログラム５０２ｃは、後述する画像生成データ５０４ｂを用いて、表示画像データ、すなわち、上述した各種の操作画面などの画面データを生成し、ディスプレイ１４に出力するためのプログラムである。
【００８５】
記録媒体接続プログラム５０２ｄは、記録媒体接続部１６に装着された各種の記録媒体へのデータの書込みおよび各種の記録媒体からのデータの読み出しを制御するためのプログラムである。
【００８６】
紙片印刷プログラム５０２ｅは、紙片用プリンタ１８を制御して、ロール紙上に文字列、画像、バーコードなどを印刷するためのプログラムである。
【００８７】
符号読取プログラム５０２ｆは、符号読取部２０を制御して、レーザスキャナまたはカメラによって撮影された撮影画像から符号画像を抽出し、抽出した符号画像を復号するためのプログラムである。
【００８８】
写真印刷プログラム５０２ｇは、写真用プリンタ２６を制御して、写真用紙上に画像を印刷するためのプログラムである。
【００８９】
近距離通信プログラム５０２ｈは、近距離通信部２２を制御して、ユーザ端末等の通信対象との間でのデータ通信を実現するためのプログラムである。
【００９０】
貨幣処理プログラム５０２ｉは、貨幣処理部２４を制御して、硬貨用の格納部に収容された硬貨の種類および枚数と、紙幣用の格納部に収容された紙幣の種類および枚数とに応じて、投入金額を算出するためのプログラムである。また、貨幣処理プログラム５０２ｉは、貨幣処理部２４を制御して、投入金額から所定のジョブを実行するための料金を差し引いて残った残額に応じて、硬貨を硬貨返却口２４ｂから返却したり、紙幣を紙幣投入口から返却したりするためのプログラムでもある。
【００９１】
設定プログラム５０２ｊは、ジョブの設定条件を設定するための複数の操作画面におけるユーザ操作（設定操作）に応じて、ジョブの設定条件を設定し、当該ジョブの設定条件に対応するジョブ設定データ５０４ｃを生成するためのプログラムである。また、設定プログラム５０２ｊは、設定変更用の操作画面におけるユーザ操作（変更操作）に応じて、ジョブの設定条件を変更して、ジョブ設定データ５０４ｃを更新するためのプログラムでもある。
【００９２】
なお、図示は省略するが、プログラム記憶領域５０２には、情報処理システム１００におけるジョブを実行するための料金を設定するためのプログラム、および情報処理装置１０が備える各種の機能を選択および実行するためのプログラムなども記憶される。
【００９３】
また、ＲＡＭ３４のデータ記憶領域５０４には、操作入力データ５０４ａ、画像生成データ５０４ｂおよびジョブ設定データ５０４ｃなどが記憶される。
【００９４】
操作入力データ５０４ａは、操作検出プログラム５０２ｂに従って検出されたタッチ座標データを時系列に従って記憶したデータである。
【００９５】
画像生成データ５０４ｂは、ディスプレイ１４に表示する各種の画面に対応する表示画像データを生成するためのポリゴンデータまたはテクスチャデータ等のデータである。
【００９６】
ジョブ設定データ５０４ｃは、設定プログラム５０２ｊに従って生成ないし更新される、ジョブの設定条件に対応するデータである。
【００９７】
なお、図示は省略するが、データ記憶領域５０４には、情報処理装置１０用の情報処理プログラムの実行に必要な他のデータが記憶されたり、情報処理装置１０用の情報処理プログラムの実行に必要なタイマ（カウンタ）やレジスタが設けられたりする。
【００９８】
図１１は図３に示す画像形成装置７０のＲＡＭ８４のメモリマップ６００の一例を示す図解図である。図１１に示すように、ＲＡＭ８４は、プログラム記憶領域６０２およびデータ記憶領域６０４を含む。ＲＡＭ８４のプログラム記憶領域６０２には、上述したように、画像形成装置７０用の情報処理プログラムが記憶される。この画像形成装置７０用の情報処理プログラムは、通信プログラム６０２ａ、画像読取プログラム６０２ｂおよび画像形成プログラム６０２ｃを含む。
【００９９】
通信プログラム６０２ａは、情報処理装置１０またはサーバなどの他のコンピュータまたは他の機器とネットワークを介して通信するためのプログラムである。
【０１００】
画像読取プログラム６０２ｂは、画像読取部７２を制御して、原稿載置台に載置された原稿の画像を読み取り（スキャンし）、読み取った画像に対応する画像信号（スキャン画像データ）を出力するためのプログラムである。
【０１０１】
画像形成プログラム６０２ｃは、画像形成部７４を制御して、スキャン画像データまたは入力画像データなどの画像データ６０４ａに応じて多色または単色の画像を記録媒体（用紙）に形成するためのプログラムである。
【０１０２】
なお、図示は省略するが、プログラム記憶領域６０２には、画像形成装置７０が備える各種の機能を選択および実行するためのプログラムなども記憶される。
【０１０３】
また、ＲＡＭ８４のデータ記憶領域６０４には、画像データ６０４ａなどが記憶される。画像データ６０４ａは、画像読取部７２で読み取った画像データまたはサーバ等の外部のコンピュータから入力される画像データなどである。
【０１０４】
なお、図示は省略するが、データ記憶領域６０４には、画像形成装置７０用の情報処理プログラムの実行に必要な他のデータが記憶されたり、画像形成装置７０用の情報処理プログラムの実行に必要なタイマ（カウンタ）やレジスタが設けられたりする。
【０１０５】
図１２は、図２に示す情報処理装置１０のＣＰＵ３２で実行される情報処理の一例を示すフロー図である。この情報処理は、ホーム画面１１０でいずれかのアイコン１１２がタッチされ、ユーザが所望するジョブが決定された場合に開始される。
【０１０６】
図１２に示すように、情報処理装置１０のＣＰＵ３２は、情報処理を開始すると、ステップＳ１で、設定操作を受け付けて、ステップＳ３に進む。ステップＳ１では、上述したように、ジョブの設定条件を設定するための複数の操作画面をディスプレイ１４に表示して、ユーザの設定操作に応じて、ジョブの設定条件を設定する。
【０１０７】
続いて、ステップＳ３で、ジョブの設定条件が決定されたかどうかを判断する。ここでは、ジョブの設定条件を設定するための複数の操作画面のうち、最後の操作画面で設定可能なジョブの設定条件が決定されたかどうかを判断する。
【０１０８】
ステップＳ３で“ＮＯ”であれば、つまり、ジョブの設定条件が決定されていないと判断した場合は、ステップＳ１に戻る。一方、ステップＳ３で“ＹＥＳ”であれば、つまり、ジョブの設定条件が決定されたと判断した場合は、ステップＳ５で、ジョブ設定データ５０４ｃを情報処理装置１０のＲＡＭ３４に記憶して、ステップＳ７で、変更用の操作画面を表示する。ステップＳ７では、たとえば、上述した第２案内画面２００のように、ジョブの設定条件を変更する変更アイコンを含む操作画面を表示する。
【０１０９】
続いて、ステップＳ９で、ジョブの設定条件が変更されたかどうかを判断する。ここでは、変更用の操作画面において、ジョブの設定条件を変更する変更アイコン（たとえば変更アイコン２０４等）が選択されたかどうかを判断する。
【０１１０】
ステップＳ９で“ＹＥＳ”であれば、つまり、ジョブの設定条件が変更されたと判断した場合は、ステップＳ１１で、ジョブ設定データ５０４ｃを更新して、ステップＳ１３に進む。一方、ステップＳ９で“ＮＯ”であれば、つまり、ジョブの設定条件が変更されないと判断した場合は、ステップＳ１１を経ずにステップＳ１３に進む。
【０１１１】
続いて、ステップＳ１３で、ジョブを実行するかどうかを判断する。ここでは、決済が完了したかどうかを判断する。ステップＳ１３で“ＮＯ”であれば、つまり、決済が完了していないと判断した場合は、ステップＳ７に戻る。一方、ステップＳ１３で“ＹＥＳ”であれば、つまり、決済が完了したと判断した場合は、ステップＳ１５で、ジョブ設定データ５０４ｃに従ってジョブを実行して、情報処理を終了する。
【０１１２】
この第１実施例では、ジョブの設定条件が設定された後に、当該設定条件を変更するための変更アイコンを含む設定変更用の操作画面を情報処理装置１０のディスプレイ１４に表示させる。このため、設定を最初からやり直す必要が無いので、利便性を向上させることができる。
【０１１３】
なお、第１実施例では、ジョブ設定データ５０４ｃが、情報処理装置１０のＲＡＭ３４に記憶されるようにしたが、これに限定される必要は無い。たとえば“写真サービス”のように、情報処理装置１０だけで実行可能なジョブについてはジョブ設定データ５０４ｃが情報処理装置１０のＲＡＭ３４に記憶されるようにして、“コピー”および“スキャン”のように、主として画像形成装置７０で実行されるジョブについてはジョブ設定データ５０４ｃが画像形成装置７０のＲＡＭ８４に記憶されるようにしても良い。
［第２実施例］
第２実施例の情報処理システム１００では、ジョブの設定条件が設定された後に、プレビュー画像を含む確認画面（プレビュー画面）を表示し、確認画面に変更アイコンを表示させるようにした以外は第１実施例と同じであるため、第１実施例と異なる内容について説明し、重複した説明については省略することにする。
【０１１４】
図１３は第２実施例のコピー確認画面２２０の一例を示す図解図である。第２実施例では、第１実施例で説明した第１案内画面１８０および第２案内画面２００等のような案内画面において、原稿のスキャンが指示されると、ジョブの設定条件等を確認するための確認画面がディスプレイ１４に表示される。たとえば、図１３に示すようなコピー確認画面２２０がディスプレイ１４に表示される。
【０１１５】
コピー確認画面２２０は、上述した種々の操作画面で設定されたジョブの設定条件等を確認および変更するための画面であり、変更領域２２２、プレビュー領域２２４、再スキャンアイコン２２６および実行アイコン２２８を含む。
【０１１６】
変更領域２２２は、ジョブの設定条件を確認および変更するための領域である。この変更領域２２２には、複数の設定項目の各々に対応する変更アイコン２２２ａ〜２２２ｅが設けられる。変更アイコン２２２ａには、コピージョブの種類の設定を変更する機能が割り当てられている。変更アイコン２２２ｂには、印刷用紙のサイズの設定を変更する機能が割り当てられている。変更アイコン２２２ｃには、片面コピー／両面コピーの設定を変更する機能が割り当てられている。変更アイコン２２２ｄには、コピー倍率の設定を変更する機能が割り当てられている。変更アイコン２２２ｅには、その他の設定条件の設定を変更する機能が割り当てられている。
【０１１７】
変更アイコン２２２ａ〜２２２ｅのいずれかがタッチされると、そのアイコンに対応する設定条件を変更するための設定変更用の操作画面がディスプレイ１４に表示される。たとえば、変更アイコン２２２ａがタッチされると、コピージョブの種類の設定を変更するために、第１コピー設定画面１２０がディスプレイ１４に表示される。また、変更アイコン２２２ｂまたは変更アイコン２２２ｃがタッチされると、印刷用紙のサイズの設定または片面コピー／両面コピーの設定を変更するために、第２コピー設定画面１４０がディスプレイ１４に表示される。さらに、変更アイコン２２２ｄがタッチされると、コピー倍率の設定を変更するために、第３コピー設定画面１６０がディスプレイ１４に表示される。なお、設定変更用の操作画面として表示される各操作画面は、ユーザが設定操作を行う場合に表示される通常の操作画面と同じである。また、設定変更用の操作画面におけるアイコンの配置および機能についても、通常の操作画面と同じである。したがって、設定変更用の操作画面がディスプレイ１４に表示された場合であっても、ユーザは、設定操作を行う場合と同じ要領で、変更操作を行うことができる。また、設定変更用の操作画面において変更されたジョブの設定条件が決定されると、設定変更用の操作画面が閉じられて、コピー確認画面２２０がディスプレイ１４に表示される。
【０１１８】
また、変更アイコン２２２ａ〜２２２ｄには、現在設定されているジョブの設定条件を示す文字列が表示される。たとえば、コピージョブの種類が“カラーコピー”に設定されている場合には、変更アイコン２２２ａには、“カラー”というような文字列が表示される。同様に、変更アイコン２２２ｂには印刷する用紙のサイズを示す文字列が表示され、変更アイコン２２２ｃには片面コピー／両面コピーの設定を示す文字列が表示され、変更アイコン２２２ｄにはコピー倍率の設定を示す文字列（数値）が表示される。これにより、ユーザは、現在設定されているジョブの設定条件を確認することができる。
【０１１９】
プレビュー領域２２４には、画像読取部７２で読み取られた原稿の画像（プレビュー画像）が表示される。ただし、プレビュー領域２２４には、ジョブの設定条件に応じたプレビュー画像が表示される。たとえば、プレビュー領域２２４には、コピージョブの種類が“カラーコピー”に設定されている場合には、カラーのプレビュー画像が表示され、コピージョブの種類が“白黒コピー”に設定されている場合には、白黒２値またはグレースケールのプレビュー画像が表示される。後述するプレビュー領域３２４も同様である。
【０１２０】
再スキャンアイコン２２６は、原稿の読み取りをやり直すことを指示する機能が割り当てられる。再スキャンアイコン２２６がタッチされると、原稿の読み込みを行うための案内画面（たとえば第１案内画面１８０）がディスプレイ１４に表示される。後述する再スキャンアイコン３２６も同様である。
【０１２１】
実行アイコン（続行アイコンに相当）２２８は、ジョブの実行を指示する機能が割り当てられる。実行アイコン２２８がタッチされると、決済を行うための決済画面等に進み、決済が完了すると、ジョブの設定条件に従って、ジョブ（図１３に示す例ではコピージョブ）が実行される。後述する実行アイコン３２８も同様である。
【０１２２】
また、詳細な説明は省略するが、コピー確認画面２２０には、コピーされる部数を変更するための領域および料金の金額を表示する領域等が設けられる。
【０１２３】
ここまでは、コピージョブが選択された場合を例に挙げて説明したが、スキャンジョブ等の他のジョブが選択された場合も同様である。ホーム画面１１０でスキャンジョブが割り当てられたアイコン１１２がタッチされると、スキャンジョブの設定条件に含まれる複数の設定項目を設定するための複数の操作画面がディスプレイ１４に表示される。たとえば、スキャンジョブの設定条件を設定するための最初の操作画面として、図１４に示すような第１スキャン設定画面２４０がディスプレイ１４に表示される。
【０１２４】
第１スキャン設定画面２４０は、スキャンジョブのカラーモードを設定するための画面であり、設定領域２４２およびもどるアイコン２４４を含む。設定領域２４２には、アイコン２４２ａおよびアイコン２４２ｂが設けられる。アイコン２４２ａには、原稿をフルカラーで読み込む設定が割り当てられている。アイコン２４２ｂには、原稿を白黒で読み込む設定が割り当てられている。
【０１２５】
第１スキャン設定画面２４０では、アイコン２４２ａおよびアイコン２４２ｂのいずれかがタッチされることによって、スキャンジョブのカラーモードが設定される。スキャンジョブのカラーモードが設定されると、ディスプレイ１４には、図１５に示すような第２スキャン設定画面２６０が表示される。
【０１２６】
第２スキャン設定画面２６０は、スキャンした読取画像データのファイル形式を設定するための画面であり、設定領域２６２およびもどるアイコン２６４を含む。設定領域２６２には、アイコン２６２ａ〜２６２ｃが設けられる。アイコン２６２ａには、読取画像データをＰＤＦ形式で保存する設定が割り当てられている。アイコン２６２ｂには、読取画像データを高圧縮ＰＤＦ形式で保存する設定が割り当てられている。アイコン２６２ｃには、読取画像データをＪＰＥＧ形式で保存する設定が割り当てられている。
【０１２７】
第２スキャン設定画面２６０では、アイコン２６２ａ〜２６２ｃのいずれかがタッチされることによって、読取画像データのファイル形式が設定される。読取画像データのファイル形式が設定されると、ディスプレイ１４には、図１６に示すような第３スキャン設定画面２８０が表示される。
【０１２８】
第３スキャン設定画面２８０は、読取画像の画質を設定するための画面であり、第１設定領域２８２、第２設定領域２８４、次へアイコン２８６およびもどるアイコン２８８を含む。
【０１２９】
第１設定領域２８２は、読取画像の全体の画質を設定するための領域である。第１設定領域２８２には、アイコン２８２ａ〜２８２ｃが設けられる。アイコン２８２ａには、高解像度の設定（たとえば４００ｄｐｉ）が割り当てられている。アイコン２８２ｂには、標準の解像度の設定（たとえば３００ｄｐｉ）が割り当てられている。アイコン２８２ｃには、高解像度の設定（たとえば２００ｄｐｉ）が割り当てられている。
【０１３０】
第２設定領域２８４は、原稿の下地の濃さ（下地濃度）を設定するための領域である。この第２設定領域２８４には、アイコン２８４ａ、アイコン２８４ｂおよび調整部２８４ｃが設けられる。アイコン２８４ａには、下地濃度の除去、すなわち下地の濃度を白色の濃度にする設定が割り当てられている。アイコン２８４ｂには、下地濃度の除去を行わない設定が割り当てられている。また、調整部２８４ｃは、左右方向に延びるバーと、バーに沿って左右方向に移動されるスライダを含む。スライダは、ユーザの操作（たとえばスライド操作）によって移動される。調整部２８４ｃでは、スライダの位置が移動（変更）されることによって下地濃度が調整される。調整部２８４ｃのスライダの位置が左側に移動されると、下地濃度が低くなる。また、調整部２８４ｃのスライダの位置が右側に移動されると、下地濃度が高くなる。この第３スキャン設定画面２８０では、ユーザは、アイコン２８４ａまたはアイコン２８４ｂを選択したり、調整部２８４ｃのスライダの位置を移動させたりして、下地濃度を設定することができる。
【０１３１】
第３スキャン設定画面２８０では、次へアイコン２８６がタッチされると、読取画像の画質が決定される。読取画像の画質が決定されると、ディスプレイ１４には、図１７に示すような第４スキャン設定画面３００が表示される。
【０１３２】
第４スキャン設定画面３００は、原稿の大きさを設定するための画面であり、設定領域３０２、次へアイコン３０４およびもどるアイコン３０６を含む。
【０１３３】
設定領域３０２は、原稿の大きさを設定するための領域である。設定領域３０２には、アイコン３０２ａ〜３０２ｈが設けられる。アイコン３０２ａ〜３０２ｆの各々には、それぞれ互いに異なる原稿のサイズの設定が割り当てられている。また、アイコン３０２ｇには、画像読取部７２でプレスキャンを実行するなどして、自動的に原稿の大きさを検出する設定が割り当てられている。さらに、アイコン３０２ｈには、原稿の大きさを手動で入力する設定が割り当てられている。この第４スキャン設定画面３００では、ユーザは、アイコン３０２ａ〜３０２ｇを選択したり、アイコン３０２ｈを選択して原稿の大きさを手動で入力したりして、原稿の大きさを設定することができる。
【０１３４】
第４スキャン設定画面３００では、次へアイコン３０４がタッチされると、原稿の大きさが決定される。読取画像の画質が決定されると、原稿の読み込みを行うための案内画面がディスプレイ１４に表示される。なお、案内画面は、第１案内画面１８０および第２案内画面２００等と同様であるので説明を省略する。案内画面において、原稿のスキャンが指示されると、図１８に示すようなスキャン確認画面３２０がディスプレイ１４に表示される。
【０１３５】
スキャン確認画面３２０は、上述した種々の操作画面で設定されたジョブの設定条件等を確認および変更するための画面であり、変更領域３２２、プレビュー領域３２４、再スキャンアイコン３２６および実行アイコン３２８を含む。
【０１３６】
変更領域３２２は、ジョブの設定条件を確認および変更するための領域である。この変更領域３２２には、複数の設定項目の各々に対応する変更アイコン３２２ａ〜３２２ｆが設けられる。上述したコピー確認画面２２０の変更アイコン２２２ａ〜２２２ｅと同様に、変更アイコン３２２ａ〜３２２ｆのいずれかがタッチされると、そのアイコンに対応する設定項目を変更するための設定変更用の操作画面がディスプレイ１４に表示され、ジョブの設定条件を変更することができるようになる。
【０１３７】
図１９は第２実施例の情報処理の一例を示すフロー図である。以下、フロー図を用いて、第２実施例における情報処理装置１０の情報処理について説明するが、第１実施例で説明した情報処理と同じ処理については同じ参照符号を付し、重複した内容については、説明を省略するまたは簡単に説明することにする。
【０１３８】
図１９に示すように、情報処理が開始されると、ＣＰＵ３２は、ステップＳ５でジョブ設定データ５０４ｃをＲＡＭ３４に記憶して、ステップＳ３１で、確認画面を表示して、ステップＳ９に進む。ステップＳ３１では、たとえば、上述したコピー確認画面２２０およびスキャン確認画面３２０などが表示される。
【０１３９】
続いて、ステップＳ９で“ＹＥＳ”であれば、つまり、ジョブの設定条件が変更されたと判断した場合は、ステップＳ３３で、設定操作を受け付けて、ステップＳ３５で、ジョブの設定条件が決定（変更）されたかどうかを判断する。なお、ステップＳ３３では、設定項目毎に設定変更用の操作画面がディスプレイ１４に表示されたりして、ジョブの設定条件を変更することができるようにされる。ステップＳ３５で“ＮＯ”であれば、つまり、ジョブの設定条件が決定されていないと判断した場合は、ステップＳ３３に戻る。一方、一方、ステップＳ３５で“ＹＥＳ”であれば、つまり、ジョブの設定条件が決定されたと判断した場合は、ステップＳ１１に進む。
【０１４０】
なお、ステップＳ５までの処理、ステップＳ９の処理およびステップＳ１１以降の処理の内容については、第１実施例と同じであるので説明を省略する。
【０１４１】
この第２実施例によれば、ジョブの設定条件が設定された後に、プレビュー画像を含む確認画面を表示し、確認画面に変更アイコンを表示させるので、プレビュー画像を確認した後に、ジョブの設定条件を変更することができる。
【０１４２】
また、第２実施例によれば、確認画面において、設定項目毎に変更アイコンを表示させるので、変更したい設定項目のみを変更することができる。このため、変更しない設定項目については設定をやり直す必要が無いので、利便性を向上させることができる。
【０１４３】
なお、第２実施例では、確認画面において、ジョブの設定条件に含まれる設定項目毎に変更アイコンを表示させるようにしたが、初期設定（デフォルトの設定）から変更された設定項目に対応する変更アイコンを強調して表示するようにしても良い。たとえば、初期設定から変更された設定項目に対応する変更アイコンに模様が付されたり、適当な色彩が付されたり、アイコンの輪郭線が太くされたりする。また、確認画面において、初期設定から変更された設定項目に対応する変更アイコンのみを表示されるようにしても良い。この場合、初期設定から変更されなかった設定項目に対応する変更アイコンは、その他の設定条件の変更を行う機能が割り当てられたアイコンが選択された場合に、選択できるようにしても良い。このようにすれば、初期設定から変更された設定項目が分かり易くなり、ユーザが望むような設定かどうかが確認し易い。
【０１４４】
また、第２実施例では、カラーモードの設定に関わらず、フルカラーにて原稿のスキャンを行うようにしても良い。カラーモードが白黒に設定されている場合には、フルカラーの読取画像データに基づいて単色（白黒）の画像データが生成される。このようにすれば、変更アイコンによってカラーモードが変更された場合であっても、読取画像データを単色の画像データに加工すれば良く、再度原稿のスキャンを行う必要が無くなる。また、読取画像の画質の設定に関わらず、高解像度で原稿のスキャンを行うようにすれば、変更アイコンによって読取画像の画質の設定が変更された場合であっても、読取画像データを加工（解像度調整）するだけで良く、再度原稿のスキャンを行う必要が無くなる。ただし、このような動作を実現するために、情報処理装置１０用の情報処理プログラムまたは画像形成装置７０用の情報処理プログラムには、読取画像データを加工するための加工プログラムが含まれる。
［第３実施例］
第３実施例の情報処理システム１００では、決済時にユーザの支払可能額が不足している場合に、変更アイコンを含む報知画面を表示するようにした以外は第１実施例と同じであるため、第１実施例と異なる内容について説明し、重複した説明については省略することにする。
【０１４５】
図２０は第３実施例における第１報知画面３４０の一例を示す図解図である。図２１は第３実施例における第２報知画面３６０の一例を示す図解図である。
【０１４６】
第１実施例で説明したように、ジョブの設定条件が決定されると、決済画面（不図示）がディスプレイ１４に表示される。この決済画面では、ジョブの設定条件に応じた料金の決済が行われる。ユーザの支払可能額が料金の金額以上である場合には、決済することができ、決済が完了すると、各操作画面において決定されたジョブの設定条件に従って、ジョブが実行される。なお、ユーザの支払可能額とは、投入金額（貨幣投入部２４ａに投入された現金の金額）、電子マネーの残高および各種サービスのポイント等である。ただし、決済時に、ユーザの支払可能額が料金の金額に対して不足している場合には、決済することができない。このような場合に、第３実施例では、変更アイコンを含む報知画面がディスプレイ１４に表示される。たとえば、図２０に示すような第１報知画面３４０がディスプレイ１４に表示される。
【０１４７】
第１報知画面３４０には、投入金額が料金の金額に対して不足している旨のメッセージ、金額表示部３４２、変更アイコン３４４および終了アイコン３４６が設けられる。なお、第１報知画面３４０に示す例では、電子マネーの残高および各種サービスのポイントなどは利用されておらず、ユーザの支払可能額が投入金額のみである場合を示している。
【０１４８】
たとえば、第１報知画面３４０には、「投入金額が不足しています。不足分を投入するか、設定を変更してください。」というような、メッセージが表示される。
【０１４９】
金額表示部３４２には、ジョブの設定条件に応じた料金の金額、投入金額および不足している金額が表示される。後述する金額表示部３６２も同様である。
【０１５０】
変更アイコン３４４は、ジョブの設定条件を変更する機能が割り当てられている。たとえば、変更アイコン３４４がタッチされると、ジョブの設定条件を設定するための操作画面に戻り、ジョブの設定条件を変更することができる。ここでは、ジョブの設定条件を設定するための最初の操作画面に戻っても良いし、任意の操作画面に戻っても良い。そして、ジョブの設定条件に応じた料金の金額が変動する設定項目が変更されることによって、投入金額の不足が解消されることがある。たとえば、コピージョブの場合には、コピージョブの種類の設定を“カラーコピー”から“白黒コピー”に変更したり、印刷用紙のサイズの設定を“Ａ３”から“Ａ４”に変更したりすれば、料金の金額が小さくなり、投入金額を増やさなくても、投入金額の不足が解消されることがある。
【０１５１】
終了アイコン３４６は、第１報知画面３４０を閉じて、ホーム画面１１０に戻る機能が割り当てられる。ただし、終了アイコン３４６がタッチされると、ジョブの設定条件が初期化される。後述する終了アイコン３６８も同様である。
【０１５２】
また、投入金額の不足によって決済することができなかった場合に、第１報知画面３４０に代えて、図２１に示すような第２報知画面３６０がディスプレイ１４に表示されるようにしても良い。
【０１５３】
第２報知画面３６０には、投入金額が料金の金額に対して不足している旨のメッセージ、金額表示部３６２、第１提案アイコン３６４、第２提案アイコン３６６および終了アイコン３４８が設けられる。
【０１５４】
たとえば、第１報知画面３４０には、「投入金額が不足しています。不足分を投入するか、提供可能な設定内容を選択してください。」というような、メッセージが表示される。
【０１５５】
第１提案アイコン３６４および第２提案アイコン３６６の各々には、自動的に生成されたジョブの設定条件が割り当てられている。ただし、第１提案アイコン３６４および第２提案アイコン３６６の各々に割り当てられたジョブの設定条件は、料金の金額が投入金額以下になるように設定されている。たとえば、図２１に示す例では、第１提案アイコン３６４には、ジョブの設定条件として、“モノクロ（白黒）の両面コピー”が割り当てられている。また、第２提案アイコン３６６には、ジョブの設定条件として、“カラーで２ＵＰコピー”が割り当てられている。第１提案アイコン３６４および第２提案アイコン３６６のいずれかがタッチされると、ジョブの設定条件は、タッチされたアイコンに割り当てられた設定条件に変更される。このようにすれば、投入金額の不足が解消される。
【０１５６】
なお、図２１に示した第１提案アイコン３６４および第２提案アイコン３６６に割り当てられた設定条件は一例であり、ユーザの支払可能額および情報処理システム１００で提供可能なジョブの内容等に応じて、適宜変更することができる。
【０１５７】
また、第３実施例では、上述したような動作を実現するために、情報処理装置１０用の情報処理プログラムには、ジョブの設定条件に応じた料金を設定するための料金設定プログラム、ユーザの支払可能額を検出するための検出プログラム、ユーザの支払可能額が料金の金額に達しているかどうかを判定するための金額判定プログラムおよび料金の金額がユーザの支払可能額以下になるように設定されたジョブの設定条件を生成する生成プログラム等が含まれる。
【０１５８】
図２２は第３実施例の情報処理の一例を示すフロー図である。以下、フロー図を用いて、第３実施例における情報処理装置１０の情報処理について説明するが、第１実施例で説明した情報処理と同じ処理については同じ参照符号を付し、重複した内容については、説明を省略するまたは簡単に説明することにする。
【０１５９】
図２２に示すように、情報処理が開始されると、ＣＰＵ３２は、ステップＳ１３で“ＹＥＳ”であれば、ステップＳ５１で、決済可能かどうかを判断する。ここでは、ユーザの支払可能額と、料金の金額とを比較して、ユーザの支払可能額が料金の金額に達しているかどうかを判断する。
【０１６０】
ステップＳ５１で“ＹＥＳ”であれば、つまり、決済可能と判断した場合は、ステップＳ１５に進み、ジョブを実行する。一方、ステップＳ５１で“ＮＯ”であれば、つまり、決済不可能と判断した場合は、ステップＳ５３で、変更アイコンを含む報知画面をディスプレイ１４に表示する。
【０１６１】
続いて、ステップＳ５５で、ジョブの設定条件を変更するかどうかを判断する。ステップＳ５５で“ＹＥＳ”であれば、つまり、ジョブの設定条件を変更する場合には、ステップＳ１１に進み、ジョブ設定データ５０４ｃを更新する。一方、ステップＳ５５で“ＮＯ”であれば、つまり、ジョブの設定条件を変更しない場合は、情報処理を終了する。
【０１６２】
なお、ステップＳ１３までの処理およびステップＳ１５の処理の内容については、第１実施例と同じであるので説明を省略する。
【０１６３】
この第３実施例によれば、決済時にユーザの支払可能額が不足している場合に、変更アイコンを含む報知画面を表示するので、ジョブの設定条件を変更して、ユーザの支払可能額の不足を解消することができる。また、設定を最初からやり直す必要が無いので、利便性を向上させることができる。
【０１６４】
また、第３実施例によれば、決済時にユーザの支払可能額が不足している場合に、料金の金額がユーザの支払可能額以下になるように設定されているジョブの設定条件に対応する提案アイコンを表示するので、簡単な操作でユーザの支払可能額の不足を解消することができる。
【０１６５】
なお、第３実施例に示した態様は、第２実施例にも組み合わせて採用することが可能である。
［第４実施例］
第４実施例の情報処理システム１００では、ジョブの設定条件が設定された後に、当該ジョブの設定条件に対応していないユーザ操作を受け付けたときに、変更アイコンを表示させるようにした以外は第１実施例と同じであるため、第１実施例と異なる内容について説明し、重複した説明については省略することにする。
【０１６６】
図２３は第４実施例における第１選択画面３８０の一例を示す図解図である。図２４は第４実施例における第３案内画面４００の一例を示す図解図である。図２５は第４実施例における第２選択画面４２０の一例を示す図解図である。
【０１６７】
第４実施例では、記録媒体（メディア）を利用するジョブが選択されると、ユーザが利用しようとするメディアを選択するための選択画面がディスプレイ１４に表示される。たとえば、ホーム画面１１０で記録メディアからプリントを行うジョブ（以下、「メディアプリントジョブ」ということがある。）が割り当てられたアイコン１１２がタッチされると、メディアプリントジョブの設定条件を設定するための操作画面として、図２３に示すように、メディアを選択するための第１選択画面３８０がディスプレイ１４に表示される。
【０１６８】
第１選択画面３８０には、複数の選択アイコン３８２が設けられる。複数の選択アイコン３８２の各々は、情報処理システム１００で利用可能（記録媒体接続部１６で接続可能）なメディアに対応する。
【０１６９】
第１選択画面３８０では、複数の選択アイコン３８２いずれかがタッチされることによって、ユーザが利用しようとするメディア（設定メディア）が設定される。設定メディアが設定されると、ディスプレイ１４には、図２４に示すような第３案内画面４００が表示される。
【０１７０】
第３案内画面４００には、ユーザにメディアの挿入（接続）を案内する旨のメッセージおよび矩形状の動画像表示領域４０２が設けられる。
【０１７１】
動画像表示領域４０２には、メディアの挿入方法を示す動画像が表示される。具体的には、動画像表示領域４０２には、設定メディアのメモリスロットの位置および設定メディアの挿入方向を示す動画像が表示される。ただし、動画像は、メディアがメモリスロットに挿入されるまで繰り返し再生（表示）される。
【０１７２】
そして、設定メディアが正しく挿入されると、つまり、設定メディアが記録媒体接続部１６に接続されると、情報処理装置１０は、設定メディアにアクセスして、設定メディアに記憶された画像データを読み出す。ただし、設定メディア以外のメディアが記録媒体接続部１６に接続されることがある。つまり、ジョブの設定条件に対応していないユーザ操作を受け付けることがある。この場合、ディスプレイ１４には、図２５に示すような第２選択画面４２０が表示される。
【０１７３】
第２選択画面４２０には、設定メディアと異なるメディアが接続された旨のメッセージ、はいアイコン４２２およびいいえアイコン４２４が設けられる。
【０１７４】
たとえば、第２選択画面４２０には、「選択されたメディアと異なるメディアが接続されています。メディアを変更しますか？」というようなメッセージが表示される。また、このメッセージの下には、ユーザが選択したメディア（ＳＤカード）と、接続されたメディア（ＵＳＢメモリー）とを示す文字列が表示される。
【０１７５】
はいアイコン４２２は、設定メディアを、記録媒体接続部１６に接続されたメディアに変更する機能が割り当てられている。つまり、はいアイコン４２２は、設定メディアを変更する変更アイコンとして機能する。図２５に示す例では、はいアイコン４２２がタッチされると、情報処理装置１０は、設定メディアを接続されたメディア（ＵＳＢメモリ）に変更して、ＵＳＢメモリに記憶された画像データを読み出す。
【０１７６】
いいえアイコン４２４は、設定メディアを変更せずに、第３案内画面４００に戻る機能が割り当てられている。いいえアイコン４２４がタッチされると、第２選択画面４２０が閉じられて、第３案内画面４００がディスプレイ１４に表示される。
【０１７７】
なお、第４実施例では、上述したような動作を実現するために、情報処理装置１０用の情報処理プログラムには、ジョブの設定条件が設定された後にされたユーザ操作が、当該ジョブの設定条件に対応した操作であるかどうかを判定するための操作判定プログラム等が含まれる。
【０１７８】
図２６は第４実施例の情報処理の一例を示すフロー図である。以下、フロー図を用いて、第４実施例における情報処理装置１０の情報処理について説明する。第４実施例の情報処理は、メディアを利用するジョブが選択された場合に開始される。
【０１７９】
図２６に示すように、情報処理が開始されると、ＣＰＵ３２は、ステップＳ７１で、第１選択画面３８０をディスプレイ１４に表示して、ステップＳ７３で、設定メディアが選択されたかどうかを判断する。ここでは、第１選択画面３８０において複数の選択アイコン３８２いずれかがタッチされたかどうかが判断される。
【０１８０】
ステップＳ７３で“ＮＯ”であれば、つまり、設定メディアが選択されないと判断した場合は、ステップＳ７１に戻る。一方、ステップＳ７３で“ＹＥＳ”であれば、つまり、設定メディアが選択されたと判断した場合は、ステップＳ７５で、ジョブ設定データ５０４ｃを記憶して、ステップＳ７７で、第３案内画面４００をディスプレイ１４に表示して、ステップＳ７９で、メディアが記録媒体接続部１６に接続されたかどうかを判断する。
【０１８１】
ステップＳ７９で“ＮＯ”であれば、つまり、メディアが記録媒体接続部１６に接続されないと判断した場合は、ステップＳ７７に戻る。一方、ステップＳ７９で“ＹＥＳ”であれば、つまり、メディアが記録媒体接続部１６に接続されたと判断した場合は、ステップＳ８１で、記録媒体接続部１６に接続されたメディアが、設定メディアであるかどうかを判断する。
【０１８２】
ステップＳ８１で“ＹＥＳ”であれば、つまり、記録媒体接続部１６に接続されたメディアが、設定メディアであると判断した場合は、後述するステップＳ８９に進む。一方、ステップＳ８１で“ＮＯ”であれば、つまり、記録媒体接続部１６に接続されたメディアが、設定メディアでないと判断した場合は、ステップＳ８３で、第２選択画面４２０をディスプレイ１４に表示して、ステップＳ８５で、設定メディアを、記録媒体接続部１６に接続されたメディアに変更するかどうかを判断する。ここでは、第２選択画面４２０において、はいアイコン４２２が選択されたかどうかを判断する。
【０１８３】
ステップＳ８５で“ＮＯ”であれば、つまり、設定メディアを変更しないと判断した場合は、ステップＳ７７に戻る。一方、ステップＳ８５で“ＹＥＳ”であれば、つまり、設定メディアを、記録媒体接続部１６に接続されたメディアに変更すると判断した場合は、ステップＳ８７で、記録媒体接続部１６に接続されたメディアを設定メディアとして設定し、設定メディアについてのジョブ設定データ５０４ｃを更新して、ステップＳ８９に進む。
【０１８４】
続いて、ステップＳ８９では、ジョブ設定データ５０４ｃに従って、設定メディアにアクセスして、設定メディアに記憶された画像データを読み出し、情報処理を終了する。
【０１８５】
この第４実施例によれば、ジョブの設定条件が設定された後に、当該ジョブの設定条件に対応していないユーザ操作を受け付けたときに、変更アイコンを表示させるので、設定を最初からやり直す必要が無く、利便性を向上させることができる。
【０１８６】
また、第４実施例によれば、ジョブの設定条件に対応していないユーザ操作を受け付けたときに、当該ユーザ操作に応じてジョブの設定条件を変更するので、設定を変更する操作が簡単であり、便利である。
【０１８７】
なお、第４実施例では、ジョブの設定条件に対応していないユーザ操作として、設定メディアと異なるメディアを記録媒体接続部１６に接続する操作を例に挙げて説明したが、これに限定される必要はない。たとえば、第４実施例に示した態様は、コピージョブおよびスキャンジョブが選択された場合であって、設定された原稿のサイズとは異なるサイズの原稿が原稿載置台に載置された場合、およびカラーモードが“フルカラー”に設定されていたにもかかわらず、モノクロ原稿が原稿載置台に載置されていた場合等にも適用することができる。
【０１８８】
また、第４実施例に示した態様は、第２実施例および第３実施例にも組み合わせて採用することが可能である。
【０１８９】
なお、上述の実施例で挙げた数値、画面および具体的な構成等は一例であり、実際の製品に応じて適宜変更することが可能である。
【０１９０】
また、上述の実施例で示したフロー図の各ステップは、同じ結果が得られるのであれば、処理される順番は適宜変更することが可能である。
【０１９１】
さらに、上述の実施例では、情報処理装置１０がタッチパネル１２付きのディスプレイ１４を備え、ディスプレイ１４に設定変更用の操作画面を含む複数の操作画面を表示するようにしたが、これに限定される必要は無い。たとえば、画像形成装置７０がタッチパネル付きのディスプレイを備えるようにしても良い。この場合、情報処理装置１０のタッチパネル１２付きのディスプレイ１４が省略されても良いし、情報処理装置１０がタッチパネル１２付きのディスプレイ１４を備えたまま（情報処理装置１０と画像形成装置７０との両方がタッチパネル付きのディスプレイを備える構成）でも良い。ただし、情報処理装置１０のタッチパネル１２付きのディスプレイ１４が省略される場合には、画像形成装置７０のディスプレイに複数の操作画面が表示される。また、情報処理装置１０と画像形成装置７０との両方がタッチパネル付きのディスプレイを備える場合には、それぞれのディスプレイに複数の操作画面が表示されても良いし、いずれか一方のディスプレイに複数の操作画面が表示されても良い。画像形成装置７０のディスプレイに設定変更用の操作画面が表示される場合には、ユーザは、画像形成装置７０のタッチパネルへのタッチ入力によって当該設定変更用の操作画面でジョブの設定条件を変更することができる。
【符号の説明】
【０１９２】
１０  …情報処理装置
１２  …タッチパネル
１４  …ディスプレイ
３２  …ＣＰＵ
３４  …ＲＡＭ
３６  …ＲＯＭ
７０  …画像形成装置
１１０…ホーム画面
１２０…第１コピー設定画面
１４０…第２コピー設定画面
１６０…第３コピー設定画面
１８０…第１案内画面
２００…第２案内画面（設定変更用の操作画面）
【図１】
2019087789.tif 000003
【図２】
2019087789.tif 000004
【図３】
2019087789.tif 000005
【図４】
2019087789.tif 000006
【図５】
2019087789.tif 000007
【図６】
2019087789.tif 000008
【図７】
2019087789.tif 000009
【図８】
2019087789.tif 000010
【図９】
2019087789.tif 000011
【図１０】
2019087789.tif 000012
【図１１】
2019087789.tif 000013
【図１２】
2019087789.tif 000014
【図１３】
2019087789.tif 000015
【図１４】
2019087789.tif 000016
【図１５】
2019087789.tif 000017
【図１６】
2019087789.tif 000018
【図１７】
2019087789.tif 000019
【図１８】
2019087789.tif 000020
【図１９】
2019087789.tif 000021
【図２０】
2019087789.tif 000022
【図２１】
2019087789.tif 000023
【図２２】
2019087789.tif 000024
【図２３】
2019087789.tif 000025
【図２４】
2019087789.tif 000026
【図２５】
2019087789.tif 000027
【図２６】
2019087789.tif 000028